(57)【要約】      （修正有）【課題】アンダーシンク型浄水器を引き出しタイプの流し台の収納キャビネット内に設置する際に収納キャビネットの化粧板を回避して濾過カートリッジの取り付け・取り外しが可能な取付構造を提供する。【解決手段】収納キャビネットの側板８の内面に外装部１９が固定され、外装部内に内装部２２が昇降自在に装着され、内装部には濾過カートリッジ１６を収容するケース１８が取り付けられ、外装部の側板１９ｂには複数のラチェット歯２１が形成されている一方、内装部の側板２２ａにはラチェット歯に係合可能なラチェット２３が設け、ラチェットと歯を解除する解除部材２４が設けられている。【選択図】図２
2015096244.tif 000002
【特許請求の範囲】
【請求項１】
流し台の下部を構成する収納キャビネットにアンダーシンク型浄水器を取り付ける取付構造であって、
収納キャビネットの内面に昇降自在なカートリッジ取付部材を設ける一方、前記浄水器の濾過カートリッジを前記取付部材に取り付ける
ことを特徴とするアンダーシンク型浄水器の取付構造。
【請求項２】
前記取付部材は、収納キャビネットの内面に固定された昇降機構と、該昇降機構に取り付けられたケースと、を備え、
前記濾過カートリッジが前記ケース内に収容されて取り付けられていることを特徴とする請求項１記載のアンダーシンク型浄水器の取付構造。
【請求項３】
前記昇降機構は収納キャビネットの内面に固定される外装部と、該外装部内に収容されて前記ケースの取り付けられる内装部と、を備え、
外装部の内面には上下方向に沿って複数の係合歯が形成されている一方、内装部の外面には前記係合歯に係合可能な係合部が設けられ、
前記ケースを持ち上げれば、係合部が上側の係合歯に係合することを特徴とする請求項２記載のアンダーシンク型浄水器の取付構造。
【請求項４】
前記係合部は前記内装部の外面に回動自在に設けられ、
前記係合部を一方向に回動させて前記各係合歯への係合を解除させる解除手段を設けたことを特徴とする請求項３記載のアンダーシンク型浄水器の取付構造。
【請求項５】
前記解除手段を拘引することで前記係合部が一方向に回動することを特徴とする請求項４記載のアンダーシンク型浄水器の取付構造。
【発明の詳細な説明】
【技術分野】
【０００１】
本発明は、流し台の下部の収納キャビネット内にアンダーシンク型浄水器を取り付ける取付構造に関する。
【背景技術】
【０００２】
近年、収納キャビネットを引き出しタイプに構成した流し台が人気を集めている。この引き出しタイプの収納キャビネットにアンダーシンク型浄水器を取り付ける取付構造としては特許文献１，２が公知となっている。
【０００３】
特許文献１では、浄水器を収納キャビネットの奥（収納キャビネットの後板と引き出しとの間）に配置し、濾過カートリッジの交換時には引き出しと連動させて浄水器を取り出している。
【０００４】
特許文献２は、浄水器を収納キャビネット内のシンク脇のデットスペース、即ち収納キャビネット内におけるシンクと側板との間の空間に配置されている。ここでは濾過カートリッジは半円筒状のトレー内に収容され、吊り下げ用バンドを介して天板下面の固定金具に吊り下げられている。
【先行技術文献】
【特許文献】
【０００５】
【特許文献１】特開２００６−１２２８９９
【特許文献２】特開２００６−１６９７８４
【発明の概要】
【発明が解決しようとする課題】
【０００６】
しかしながら、特許文献１，２はアンダーシンク型浄水器を引き出しタイプの流し台に取り付けているものの、次の問題があった。
【０００７】
すなわち、特許文献１によれば、浄水器を収納キャビネットの後板と引き出しとの間に配置するため、引き出しを収納キャビネットの奥行よりも短くしなければならず、収納スペースが狭くなるおそれがある。
【０００８】
そこで、特許文献２のように、前記デットスペースにアンダーシンク型浄水器を取り付ける取付構造が提案されているが、濾過カートリッジを取り付けるためには吊り下げ用バンドをボルトとナットを用いて天板の固定金具に固定しなければならない。
【０００９】
ところが、収納キャビネットはシンクの部位に応じた正面位置に化粧板（当て板）が設けられているため、吊り下げ用バンドの固定金具への固定は容易ではなく、濾過カートリッジの取付作業が困難な場合がある。
【００１０】
特に濾過カートリッジの交換時には吊り下げ用バンドの固定金具への固定を解除して濾過カートリッジを取り外し、交換された濾過カートリッジを取り付けなければならず、作業の困難性が増加するおそれがある。
【００１１】
本発明は、アンダーシンク型浄水器を引き出しタイプの流し台の収納キャビネット内に設置する際に収納キャビネットの化粧板を回避して濾過カートリッジの取り付け・取り外しが可能な取付構造を提供することを解決課題としている。
【課題を解決するための手段】
【００１２】
本発明は、流し台の下部を構成する収納キャビネットにアンダーシンク型浄水器を取り付ける取付構造であって、収納キャビネットの内面に昇降自在なカートリッジ取付部材を設ける一方、前記浄水器の濾過カートリッジを前記取付部材に取り付けることを特徴としている。
【００１３】
前記取付部材は、収納キャビネットの内面に固定された昇降機構と、該昇降機構に取り付けられたケースと、を備え、前記濾過カートリッジを前記ケース内に収容して取り付けてもよい。
【００１４】
前記昇降機構は、収納キャビネットの内面に固定される外装部と、該外装部内に収容されて前記ケースの取り付けられる内装部とを備えて構成してもよい。この場合には外装部の内面に上下方向に沿って複数の係合歯を形成する一方、内装部の外面に前記係合歯に係合可能な係合部を設ける好ましい。これにより前記ケースを持ち上げれば係合部を上側の係合歯に係合させることができる。
【００１５】
前記係合部を前記内装部の外面に回動自在に設け、前記係合部を一方向に回動させて前記各係合歯への係合を解除させる解除手段を設けることもできる。このとき前記解除手段を拘引することで前記係合部を一方向に回動させてもよい。
【発明の効果】
【００１６】
本発明によれば、引き出しタイプの流し台の収納キャビネット内にアンダーシンク型浄水器を設置する際に収納キャビネットの化粧板を回避して濾過カートリッジの取り付け・取り外しが可能となる。
【図面の簡単な説明】
【００１７】
【図１】本発明の実施形態に係るアンダーシンク型浄水器の取付構造が適用される流し台の一例を示す斜視図。
【図２】図１のＡ−Ａ縦断面図。
【図３】取付部材の斜視図。
【図４】（ａ）は内装部を持ち上げてラチェットをラチェット歯の水平面から浮かせた状態を示す一部縦断面図、（ｂ）は解除部材を引いてラチェットを矢印Ｓ方向に回転させた後に内装部を降下させた状態を示す一部縦断面図。
【図５】濾過カートリッジをケースに収納する状態を示す斜視図。
【図６】（ａ）はカートリッジ連結部の斜視図、（ｂ）は同縦断面図、（ｃ）はカートリッジ側連結部の斜視図、（ｄ）は同縦断面図。
【図７】（ａ）は濾過カートリッジのカートリッジ連結部への連結前の状態を示す縦断面図、（ｂ）は濾過カートリッジのカートリッジ連結部への連結後の状態を示す縦断面図。
【発明を実施するための形態】
【００１８】
以下、本発明の実施形態に係るアンダーシンク型浄水器の取付構造を説明する。このアンダーシンク型浄水器は流し台のシンクの下部、即ち収納キャビネットに取り付けられている。
【００１９】
≪流し台≫
図１に基づき前記浄水器を取り付ける流し台の一例を説明する。この流し台１は、収納スペースが引き出しタイプの収納キャビネット２で構成されている。ここでは図１中の３ａ，３ｂは引き出しを示し、４ａ，４ｂは引き出し３ａ，３ｂの取っ手を示し、５は収納キャビネット２の天板部を示し、６は流し台１のシンクを示し、７はシンク６の部位に応じた正面位置の化粧板（当て板）を示し、８，４０は収納キャビネット２の側板を示している。
【００２０】
また、流し台１の天板部５上には水栓１１が設けられている。この水栓１１は、操作レバー１２と切替レバー１３と蛇口１４とを備えている。この切替レバー１３が「原水」の位置に設定されれば、操作レバー１２の操作により図示省略の水道配管から送られてきた原水が蛇口１４から吐出される。一方、切替レバー１３が「浄水」の位置に設定されれば、前記水道配管から送られてきた原水は図省略の原水導入管を通じて前記浄水器で濾過されて浄水化され、図示省略の浄水導出管を通じて蛇口１４から吐出される。なお、前記浄水器は、収納キャビネット２内のシンク６脇のデットスペースＴ、即ち収納キャビネット２内におけるシンク６と側板８との間の空間に配置されている。
【００２１】
≪前記浄水器の取付構造≫
図２〜図７に基づき前記浄水器の取付構造を説明する。ここでは前記浄水器１５は、前記原水導入管から送られてきた原水を濾過して浄水化する円筒状の濾過カートリッジ１６を主体に構成されている。
【００２２】
濾過カートリッジ１６は、図２に示すように、デットスペースＴの側板８の内面に固定されたカートリッジ取付部材１０に昇降自在に取り付けられている。具体的には取付部材１０は、側板８の内面に固定された昇降機構１７と、昇降機構１７に取り付けられて濾過カートリッジ１６を収容するケース１８とを備えている。
【００２３】
（１）昇降機構１７
昇降機構１７は、図２および図３に示すように、外装部１９内に内装部２２を昇降自在に収容して構成されている。この外装部１９は、横断面コ字状に形成され、底板１９ａと、底板１９ａに立設された左右の側板１９ｂと、各側板１９ｂから内方向に折曲形成された保持片１９ｃとを備えている。
【００２４】
この底板１９ａはねじ止めや接着などの固定手段により側板８の内面に固定され、保持片１９ｃにより内装部２２の外れが防止されている。また、各側板１９ｂの略中央部の内面には縦断面直角三角形状に形成された複数のラチェット歯２１が等間隔に形成されている（各側板８の両端部側の内面にはラチェット歯２１は形成されていない。）。
【００２５】
内装部２２は、横断面コ字状に形成され、底板２２ｃの両端部に立設された左右の側板２２ａと、両側板２２ａの一端部側（Ｐ側の端部）間を閉塞する閉塞板２２ｂと、両側板２２ａの他端面（Ｑ側の端面）を連結する下板２２ｄと、各側板２２ａの一端部側（Ｐ側の端部）の外面に配設されてラチェット歯２１に係合可能なラチェット２３とを備え、閉塞板２２ｂの外面にはねじ止めなどの固定手段でケース１８が固定される。この内装部２２内にはラチェット２３の係合を解除するための解除部材２４が各板２２ａ，２２ｂ，２２ｃ間の開口部Ｕから上下動自在に装着されている。
【００２６】
ラチェット２３は、縦断面Ｖ字状に形成され、側板２２ａの外面に立設された一対の支持板２３ａ間の軸部２３ｂに矢印Ｓ，Ｔ方向に回動自在に軸支されている。このラチェット２３は軸部２３ｂの巻ばね２３ｄに付勢され、その一端部２３ｅがラチェット歯２１の水平面２１ａに係止している。
【００２７】
これによりラチェット２３がラチェット歯２１に係合し、内装部２２が外装部１９に固定可能となっている。ここで図２中の実線は、最上段のラチェット歯２１にラチェット２３が係合した状態、即ち濾過カートリッジ１６を収容したケース１８をデットスペースＴに配置した状態を示している。
【００２８】
また、図２中の二点鎖線は、最下段のラチェット歯２１にラチェット２３が係合した状態から内装部２０を上昇させた状態を示している。ここではラチェット２３は、上側の各ラチェット歯２１の傾斜面２１ｂに沿って矢印Ｓ方向に回動し、その後に巻ばね２３ｄの付勢により矢印Ｔ方向に回動する。この動作を繰り返してラチェット２３が最上段のラチェット歯２１に係合し、ケース１８が図２の実線の位置に配置される。
【００２９】
解除部材２４は、図３では省略して表されているが、四角形のフレーム状に形成され、左右の側辺部２４ａの外面には矩形部２５が形成され、下辺部２４ｂが一対のコイルばね２６により付勢されている（図２参照）。
【００３０】
ここで内装部２２の下板２２ｃを持ち上げると、図４（ａ）の二点鎖線に示すようにラチェット２３が矢印Ｐ方向に上昇するため、一端部２３ｅが水平面２１ａから浮いて離れる。この状態のまま解除部材２４の下辺部２４ｂを引くと両側辺部２４ａが降下するため、図４（ｂ）に示すように矩形部２５がラチェット２３を押圧する。これによりラチェット２３が矢印Ｓ方向に回動し、両者２１，２３の係合が解除され、内装部２０の矢印Ｑ方向の降下が可能となる。
【００３１】
この内装部２０の降下後に解除部材２４の下辺部２４ｂを離すと、解除部材２４はコイルばね２６の付勢により元の位置に戻るため、ラチェット２３は矩形部２５の押圧が抜けて矢印Ｔ方向に回動する。これにより最下段のラチェット歯２１の水平面２１ａにラチェット２３の一端部２３ｅを係止させ、該最下段のラチェット歯２１にラチェット２３を係合させることが可能となっている。
【００３２】
この場合に内装部２２の降下をラチェット２３の一端部２３ｅが最下段のラチェット歯２１の水平面２１ａに係合可能な位置までに規制するストッパを設けることが好ましい。例えば外装部１９の底板１９ａの内面に凸部を形成することで内装部２０の降下を規制することができる。
【００３３】
（２）ケース１８
ケース１８は、図５に示すように角筒状に形成され、上下板１８ａ，１８ｂの長手方向に沿って形成された一対のスリット１８ｃと、両側板１８ｆの一方の側端間に回転自在に軸支されガイドロール１８ｄと、下板１８ｂの他方の側端を折り返して形成したストッパ片１８ｅとを備え、両スリット１８ｃにはカートリッジ固定部２７が収納キャビネット２内の前後方向（図２のＸ−Ｙ方向）にスライド自在に取り付けられている。
【００３４】
このカートリッジ固定部２７に濾過カートリッジ１６が固定され、前記原水導入管と前記浄水導出管とを濾過カートリッジ１６に連結させている。ここでは前記固定部２７は、図６（ａ）（ｂ）に示すように縦断面コ字状に形成され、前記浄水導出管と連結される中央の浄水出口３１と、浄水出口３１の外周側に形成されて前記原水導入管と連結される原水入口３２と、周壁３３の内周に周設された雌ねじ部３３ａと、周壁３３の上端内周に固着された円環状のパッキン３３ｂと、前記両スリット２３に該固定部２７をスライド自在に取り付ける上下一対の取付ピン３０（図６では取付ピン３０は省略されているため、図５を参照）とを備えている。この取付ピン３０は、水圧による前記原水導入管および前記浄水導出管の捩れに対して前記固定部２７の姿勢を保持させ、濾過カートリッジ１６の取り付けの緩みなどを防止する役割も果している。
【００３５】
一方、濾過カートリッジ１６は、図７のハウジング３４内に粒状活性炭や繊維状活性炭などの濾材３５を充填して構成され、ハウジング３４の一端部には前記固定部２７に螺設されるカートリッジ側固定部３４ａを有している。この固定部３４ａは、図６（ｃ）（ｄ）に示すように、ジョイント３６ａの挿入により浄水出口３１と連通するカートリッジ側浄水出口３６と、ジョイント３６ａの外周に固着されたパッキン３７と、原水入口３２から原水を導入する複数のカートリッジ側原水入口３７ａと、雄ねじ部３３ａに螺合する雄ねじ部３４ｂとを備えている。
【００３６】
そして、濾過カートリッジ１６は、図７（ａ）に示すように、浄水出口３１にジョイント３６ａを対向させて一方向に回転させれば、図７（ｂ）に示すように、雄ねじ部３４ｂが雌ねじ部３３ａに螺合する。これにより濾過カートリッジ１６が固定部２７に取り付けられてケース１８内に収容される。これと同時に浄水出口３１にジョイント３６ａが挿入されて前記浄水出口３１に前記浄水導出管が連結される一方、原水入口３７ａに前記原水導入管が連結されて原水入口３７ａに前記原水入口３２からの原水の導入が可能となる。
【００３７】
この濾過カートリッジ１６が収容されたケース１８は、昇降機構１７によりデッドスペースＴに配置することができる。この場合には予め内装部２２を図２中の二点鎖線の位置に降下させた後にラチェット２３を最下段のラチェット歯２１に係合させ、ケース１８をデットスペースＴの下方に配置しておく。
【００３８】
この状態のまま濾過カートリッジ１６を一方向に回転させて両ねじ部３３ａ，３４ｂを螺合させ、前記固定部２７に取り付けてケース１８内に収容する。この濾過カートリッジ１６の収容後にケース１８を持ち上げると、ラチェット２３が矢印Ｓ方向と矢印Ｔ方向の回動とを繰り返し、内装部２２が図２中の実線の位置、即ちデットスペースＴの位置まで上昇する。
【００３９】
このときラチェット２３は矢印Ｔ方向に回動するため、その一端部２３ｅが最上段のラチェット歯２１の水平面２１ａに係止する。したがって、ラチェット２３が最上段のラチェット歯２１に係合し、内装部２２が外装部１９にロックされる。これにより濾過カートリッジ１６を収容したケース１８がデットスペースＴに配置され、収納キャビネット２内のスペースを有効利用することができる。
【００４０】
その結果、本実施形態の取付構造によれば、ケース１８を押し上げるだけでよいので、化粧板（当て板）７に邪魔されることなく、濾過カートリッジ１６をデットスペースＴに簡単に取り付けることができ、取付の作業性がよい。
【００４１】
なお、ケース１８を持ち上げすぎた場合には解除部材２４の上辺部２４ｃが天板５に当たるものの、巻ばね２６により戻されるため、ラチェット２３を最上段のラチェット歯２１の水平面２１ａに係合させることができる。また、濾過カートリッジ１６はストッパ片２９により規制され、その脱落などが防止される。
【００４２】
（３）濾過カートリッジ１６の交換手順
濾過カートリッジ１６の交換は、（Ａ）デットスペースＴに配置されたケース１８から濾過カートリッジ１６を取り外す作業と、（Ｂ）新たな濾過カートリッジ１６をケース１８に取り付けてデットスペースＴに配置する作業とを行う。
【００４３】
この作業（Ｂ）は前述と同様な作業なので説明を省略し、主に取り外し作業（Ａ）を説明する。この作業（Ａ）にあたっては、まずケース１８を図２中の二点鎖線の位置まで引き下げる。具体的には内装部２２の下板２２ｄを持ち上げてラチェット２３の一端部２３ｅをラチェット歯２１の水平面２１ａから浮かせ、その後に解除部材２１の下辺部２４ｂ引いて最上段のラチェット歯２１に対するラチェット２３の係合を解除する。
【００４４】
つぎに内装部２０を矢印Ｑ方向に降下させた後に解除部材の下辺部２４ｂを離してラチェット２３を最下段のラチェット歯２１に係合させる。このとき前記ストッパがあれば、内装部２０を前記ストッパの位置まで降下させるだけで容易に両者２１，２３を係合させることができる。
【００４５】
これによりケース１８は、最下段のラチェット歯２１に応じた位置、即ち図２中の二点鎖線の位置に固定される。この状態のまま濾過カートリッジ１６を他方向に回転させて両ねじ部３３ａ，３４ｂの螺合を解除させ、ケース１８から取り外せばよい。したがって、本実施形態の取付構造によれば、ケース１８を化粧板７に邪魔されることなく、濾過カートリッジ１６を簡単に取り外すことができ、この意味で濾過カートリッジ１６の交換作業の作業性を向上させることができる。
【００４６】
この取り外し後に作業（Ｂ）により、新規の濾過カートリッジ１６をケース１８に収容し、濾過カートリッジ１６を収容したケース１８をデットスペースＴに配置する。この作業（Ｂ）は、前述のように化粧板７に邪魔されることなく、濾過カートリッジ１６をデットスペースＴに簡単に取付可能なため、この点でも交換作業が容易となる。
【００４７】
なお、本発明は上記実施形態に限定されるものではなく、各請求項に記載された範囲内で変更して実施することができる。例えば取付部材１０は収納キャビネット２の側板８，４０だけではなく、後板４１の内面に取り付けることもできる。
【００４８】
この場合に濾過カートリッジ１６はデットスペースＴ内に配置されるため、特許文献１のように収納スペースを小さくするおそれはなく、また引き出し３ａ，３ｂの出し入れの障害とはならない。
【符号の説明】
【００４９】
１…流し台
２…収納キャビネット
１５…アンダーシンク型浄水器
８，４０…側板
１０…取付部材
１６…濾過カートリッジ
１７…昇降機構
１８…ケース
１９…外装部
２１…ラチェット歯（係合歯）
２２…内装部
２３…ラチェット（係合部）
２４…解除部材（解除手段）
【図１】
2015096244.tif 000003
【図２】
2015096244.tif 000004
【図３】
2015096244.tif 000005
【図４】
2015096244.tif 000006
【図５】
2015096244.tif 000007
【図６】
2015096244.tif 000008
【図７】
2015096244.tif 000009